(57)【要約】【課題】吹付け洗浄用の噴射流として偏平状の噴射流を採用する場合に、その噴射流の偏平方向を被洗浄面の状態に応じて調整する際の操作性を改善して作業性を向上する。【解決手段】加圧液体の供給源にフレキシブルホース４を介して接続される加圧液体供給管８を有する操作側の本体部２と、偏平状の噴射口１４を有するノズル部３とを備え、前記噴射口１４から断面が偏平状の噴射流を噴射する手持ち操作用洗浄装置において、前記ノズル部３を前記本体部２に対して回転可能に構成して、噴射流の偏平方向を回転し得るように構成する。【選択図】        図２
2004321949.tif 000002
【特許請求の範囲】
【請求項１】
加圧液体の供給源にフレキシブルホースを介して接続される加圧液体供給管を有する本体部と、偏平状の噴射口を有するノズル部とを備え、前記噴射口から断面が偏平状の噴射流を噴射する手持ち操作用洗浄装置において、前記ノズル部を前記本体部に対して回転可能に構成し、噴射流の偏平方向を回転し得るように構成したことを特徴とする手持ち操作用洗浄装置。
【請求項２】
前記加圧液体供給管の先端部に形成される液体噴射口を、その液体噴射口から噴射される液体噴射流が前記ノズル部の噴射口と同じ方向に偏平に形成されるように構成し、かつ前記ノズル部と共に回転し得るように構成した請求項１に記載の手持ち操作用洗浄装置。
【請求項３】
前記加圧液体供給管の先端部に形成される液体噴射口から噴射される液体に気体を混合して気液混合流の噴射流を形成するように構成した請求項１又は２に記載の手持ち操作用洗浄装置。
【請求項４】
前記気体を加圧状態で供給して前記液体噴射口の近傍に設けた気体噴射口から噴射するように構成した請求項３に記載の手持ち操作用洗浄装置。
【発明の詳細な説明】
【０００１】
【発明の属する技術分野】
本発明は、噴射流を吹付けて被洗浄物に付着した汚れを剥離したり洗い落すための吹付け洗浄装置に関する。より詳しくは、偏平状の噴射流を採用し、手持ち状態で操作する手持ち操作用洗浄装置に関する。
【０００２】
【従来の技術】
この種の手持ち状態で操作する手持ち操作用洗浄装置は、従来から広く知られているところであり、その洗浄作業の作業効率から偏平状の噴射流を採用することも、従来から慣用されているところである（特許文献１）。ところで、従来の手持ち操作用洗浄装置では、噴射口が固定されていたため、偏平状の噴射流を採用した場合には、被洗浄面の状態に応じて、作業者が洗浄装置の持ち方を変えたり、身体を曲げたり捻ったりして、噴射流の偏平方向を調整しながら洗浄作業を実施していた。したがって、従来の洗浄作業では、その作業性がよくないだけでなく、高圧噴射による場合には、その反動により作業者がバランスを崩して危険が及ぶおそれもあるといった技術的問題があった。さらに、この種の手持ち操作用の洗浄装置には加圧液体や加圧気体を供給するためのフレキシブルホースが接続されており、洗浄装置を持ったままの状態で噴射口を横向きにするには、前記フレキシブルホースの洗浄装置への接続部近傍を大きく曲げることになるため、大きな力が必要とされ操作性にも問題があった。
【０００３】
【特許文献１】
特開２００２−２３９４２５号公報
【０００４】
【発明が解決しようとする課題】
本発明は、以上のような従来の技術的問題に鑑み、吹付け洗浄用の噴射流として偏平状の噴射流を採用する場合に、その噴射流の偏平方向を被洗浄面の状態に応じて調整する際の操作性を改善して作業性を向上することができ、延いては高圧噴射による場合などに作業者に及す危険性の低減も可能な手持ち操作用洗浄装置を提供することを目的とする。
【０００５】
【課題を解決するための手段】
本発明は、前記課題を解決するため、加圧液体の供給源にフレキシブルホースを介して接続される加圧液体供給管を有する本体部と、偏平状の噴射口を有するノズル部とを備え、前記噴射口から断面が偏平状の噴射流を噴射する手持ち操作用洗浄装置において、前記ノズル部を前記本体部に対して回転可能に構成し、噴射流の偏平方向を回転し得るように構成するという技術手段を採用した。この技術手段の採用により、被洗浄面の状態に応じてノズル部を回転することにより噴射流の偏平方向を簡便に調整し得ることから、従来のように洗浄装置を持ち変えたり、身体を曲げたり捻ったりする必要は解消され、操作性が改善されて作業性が向上する。また、操作性が改善されることから、高圧噴射による場合などに作業者に及す危険性も低減可能である。
【０００６】
さらに、前記加圧液体供給管の先端部に形成される液体噴射口に関して、その液体噴射口から噴射される液体噴射流が前記ノズル部の噴射口と同じ方向に偏平に形成されるように構成し、かつ前記ノズル部と共に回転し得るように構成してもよい（請求項２）。また、その加圧液体供給管の先端部に形成される液体噴射口から噴射される液体に気体を混合して気液混合流の噴射流を形成するように構成してもよい（請求項３）。また、前記気体を加圧状態で供給して前記液体噴射口の近傍に設けた気体噴射口から噴射するように構成してもよい（請求項４）。
【０００７】
【発明の実施の形態】
本発明は、加圧液体を供給する加圧液体供給管を備え、ノズル部の噴射口から偏平状の噴射流を噴射する手持ち操作用洗浄装置であれば、使用する液体の種類や更に気体を混入するか否かなどに関わらず広い適用が可能である。すなわち、使用する液体の種類に関しては、水道水などの普通水や加熱した温水に限らず、更に界面活性剤などの洗浄剤を加えて洗浄力や殺菌力を向上させたものや、研掃材などの適宜の粉粒体を加えて、その物理的作用により剥離力を向上させたものでもよい。また、汚れの種類などに応じて、液体流のみを噴射する形態のものだけでなく、液体に気体を混合して形成した気液混合流を噴射する形態のものでもよい。その気液混合流を噴射する場合における気体の供給の仕方に関しては、液体噴射流のエジェクタ作用に基づく吸引式でもよいし、加圧気体を使用する加圧式でもよい。さらに、気体中に研掃材等の粉粒体を混入したものを用いてもよい。液体噴射口に関しては、円形のものでも偏平状のものでもよいし、円形の小孔を列状に並べて配設したものでもよい。また、前記ノズル部を操作側の本体部に対して回転可能に構成する回転機構に関しても、両者を回転可能な状態に連結し得るものであれば、適宜の形態が可能であり、以下の実施例に限られない。
【０００８】
【実施例】
以下、図面を用いて本発明の実施例に関して説明する。図１は本発明の一実施例に係る手持ち操作用洗浄装置の全体を示した斜視図である。図２は前記実施例を部分的に断面して示した正面図であり、図３はその噴射口部分を拡大して示した右側面図である。図示のように、本実施例に係る手持ち操作用洗浄装置１は、操作側の本体部２と、この本体部２に対して回転可能に連結したノズル部３から構成される。前記本体部２は、図示しない供給源にフレキシブルホース４を介して接続される接続管５を備え、その接続管５の下流側に、握り部６に設置された引金状のレバー７により開閉操作される図示しないバルブを挟んで、接続される加圧液体供給管８を備えている。因みに、本実施例では、前記加圧液体供給管８は、本体部２を構成する直線状軸部９の軸心部を貫通し、その加圧液体供給管８の外周部に、前記直線状軸部９の途中から接続部１０を介して気体供給管１１に連通した空気等の気体供給路１２が形成されるように構成した。本体部２とノズル部３は、その間に配設した回転連結部１３を介して、ノズル部３が加圧液体供給管８を中心に回転し得るように構成した。ノズル部３の噴射口１４は、図３に示したように偏平状に形成されている。図中、１５はノズル部３に設けた握り部である。
【０００９】
次に、前記回転連結部１３に関して説明する。図４は前記実施例における回転連結部１３の近傍を拡大して示した図２の部分拡大図であり、図５はそのＡ−Ａ断面図である。また、図６は図４に指示した回転連結部１３の断面を更に拡大して示したＢ−Ｂ断面図であり、図７は図６に指示したＣ−Ｃ断面図である。図４及び図５に示したように、回転連結部１３は、前記本体部２を構成する直線状軸部９に固定された本体側連結部材１６と、この本体側連結部材１６の小径部１７に回転可能に嵌合し、ノズル部３に固定されたノズル側連結部材１８とから構成される。また本実施例では、図６及び図７に示したようにノズル側連結部材１８に４個の係合ボルト１９を半径方向に設置し、それぞれの先端係合部２０を本体側連結部材１６の小径部１７の外周部に形成したリング状係合凹部２１に摺動可能に嵌入することにより、ノズル側連結部材１８を本体側連結部材１６の小径部１７に対して軸方向の相対移動を阻止しながら回転可能に構成した。なお、図７に示したように、本体部２を構成する直線状軸部９と本体側連結部材１６とは固定ボルト２２により締付け固定され、またノズル部３とノズル側連結部材１８とは固定ボルト２３により締付け固定される。前記加圧液体供給管８は、本体側連結部材１６の中央開孔部２４を貫通し、その加圧液体供給管８の外周部に前記気体供給路１２に連通した気体供給路を形成している。以上の回転連結部１３により、加圧液体供給管８の外周部に気体供給路を形成しながら、ノズル部３が本体部２に対して前記加圧液体供給管８を中心に回転可能に連結されることになる。図中２５はシール用のＯリングである。なお、このＯリング２５の摩擦作用を活用して本体側連結部材１６とノズル側連結部材１８との間の位置関係、すなわちノズル部３の本体部２に対する傾斜角度を保持するように構成してもよい。もちろん、他の位置決め用の保持手段を設けてもよい。
【００１０】
次に、ノズル部３と加圧液体供給管８との関連構造に関して説明する。本実施例に係るノズル部３は、図１に示したように前半部を断面矩形状に形成し、後半部を断面偏平状に形成するとともに、後述の内装部材の組込みのために全体を縦に２分割した構造を採用している。組立てに際しては、内装部材を組込んだ後、図２及び図４に示した両側のボルト挿通孔２６，２７に図示しない固定ボルトを挿通して締付け固定することによりノズル部３を一体的に形成することになる。ところで、ノズル部３の内方には、図４及び図５に示したように、前記加圧液体供給管８が途中まで挿入される。そして、その加圧液体供給管８のノズル部３の内方への挿入部分に対して、該加圧液体供給管８を回転可能に支持するとともにノズル部３の内面との間に形成される気体供給路２８を流れる気体を誘導する上流側部材２９と、Ｏリング等の軸封手段を備えた中間部材３０と、加圧液体供給管８の先端部を回転可能に支持するとともに、内部に偏平状の液体噴射口、外部に偏平状の気体噴射口を形成する下流側部材３１を順次上流側から外嵌する。すなわち、これらの上流側部材２９と、中間部材３０と、下流側部材３１とを内装部材としてノズル部３の所定位置に組込んだ上、前記ボルト挿通孔２６，２７に挿通した固定ボルトにより締付け固定してノズル部３を一体的に形成し、更に前記固定ボルトによる締付け固定と前後して、加圧液体供給管８を上流側部材２９、中間部材３０及び下流側部材３１の中心部に挿入した状態で、ノズル部３を前記ノズル側連結部材１８に固定することになる。
【００１１】
なお、本実施例では、前記上流側部材２９を、図５に示したＡ−Ａ断面方向の断面形状が、上流側が尖った三角形状のテーパ面部３２と平行面部３３とからなるように構成し、前記平行面部３３とノズル部３の断面矩形状の内壁面３４の両側部との間を離間して気体供給路２８を形成した。上流側部材２９の上端面及び下端面は、ノズル部３の断面矩形状の内壁面３４の上方内面及び下方内面に当接するように設置した。なお、上流側部材２９の中央部には、円形の開孔部を形成して前記加圧液体供給管８を挿通するように構成している。前記中間部材３０の上流側には、小径部３５を突出形成し、前記上流側部材２９の下流側に形成した凹部に嵌入させた。また、中間部材３０の中央部には円形の開孔部を形成して前記加圧液体供給管８を挿通するように構成するとともに、加圧液体供給管８との接合面にＯリング等の軸封手段を設けた。下流側部材３１は、Ａ−Ａ断面方向の断面形状が平行面部３６と下流側が尖った三角形状のテーパ面部３７とからなるように構成し、前記平行面部３６とノズル部３の内壁面３４の両側部との間に気体供給路２８を形成するとともに、前記テーパ面部３７とノズル部３のテーパ状内壁面３８との間隙を徐々に絞って気体噴射口３９を形成した。
【００１２】
さらに、前記下流側部材３１の中央部には開孔部４０を形成し、その開孔部４０の途中まで前記加圧液体供給管８を挿入するようにした。前記開孔部４０の下流側には加圧液体供給路４１を形成し、該加圧液体供給路４１の下流側に液体噴射口４２を形成した。この液体噴射口４２は、図５に示したようにＡ−Ａ断面方向の間隙は小さいが、それと直交する縦方向は、図４に示したように上下辺部をテーパ状に徐々に拡げた偏平状に形成し、その下流側の偏平状の混合部４３と同じ方向の偏平状の液体噴射流が形成されるように構成した。なお、図４に示したように、下流側部材３１の上端面と下端面の一部を突出させて突出部４４を形成し、それらの突出部４４をノズル部３の上下の内壁面に形成した凹部４５に嵌入することにより、軸線方向の相対移動を防ぐように構成している。
【００１３】
しかして、洗浄作業に際しては、ノズル部３側の握り部１５と本体部２側の握り部６とを握って本洗浄装置１を保持し、レバー７により加圧液体供給管８に配設されたバルブを開閉操作して所期の洗浄を行うことになる。図２に示した状態においてレバー７が引かれ、前記フレキシブルホース４及び接続管５を介して加圧液体の供給が開始されると、前記加圧液体供給管８を経て、その先端部から下流側部材３１の中央部に形成された前記開孔部４０及び加圧液体供給路４１を介して偏平状の液体噴射口４２に加圧液体が供給され、該液体噴射口４２を介して偏平状の液体噴射流が混合部４３内に噴射される。同時に、その加圧液体の供給開始は、加圧液体の供給路の適宜部分に設置した図示しない流れ検知手段によって検知され、その検知信号によりコンプレッサ等の起動制御が自動的に実行されて気体供給管１１及び接続部１０を介して加圧気体の供給が開始される。そして、気体供給管１１及び接続部１０を介して供給された加圧気体は、前記本体部２を構成する直線状軸部９の内面と加圧液体供給管８の外周部との間に形成される気体流通路１２、本体側連結部材１６の中央開孔部２４と加圧液体供給管８の外周部との間に形成される気体流通路、及びノズル部３の内面と加圧液体供給管８の外周部、上流側部材２９、中間部材３０、下流側部材３１の外面の、それぞれの間に形成される気体供給路２８を介して前記液体噴射口４２の両側に形成された偏平状の気体噴射口３９へ供給され、その気体噴射口３９を介して偏平状の気体噴射流として混合部４３内に噴射される。すなわち、混合部４３内には、液体噴射口４２から偏平状の液体噴射流が噴射されるとともに、その液体噴射流の両側に気体噴射口３９から偏平状の気体噴射流が噴射され、それらの液体噴射流と気体噴射流とが混合して気液混合流が形成される。そして、その気液混合流は、下流側に形成された偏平状の流通路４６内を経て偏平状の前記噴射口１４から外部へ噴射し、偏平状の気液混合流を形成して吹付け洗浄に供されることになる。
【００１４】
そして、被洗浄面の状態に応じて噴射流の偏平方向を変える必要が生じた場合には、前記握り部１５を介してノズル部３側を前記本体部２に対して回転して前記噴射口１４を任意の方向に傾斜することにより、きわめて簡便に対応することができる。すなわち、握り部１５を回転することにより、前記回転連結部１３を介してノズル部３側を本体部２に対して相対的に回転して前記噴射口１４を任意の方向に傾斜させることが可能なことから、噴射流の偏平方向をきわめて簡便に被洗浄面に最適の方向に調整することができる。したがって、従来のように洗浄装置の持ち方を変えたり、身体を曲げたり捻ったりすることなく、被洗浄面の状態に合った効率的かつ安全な洗浄作業を実施することができる。
【００１５】
【発明の効果】
本発明によれば、被洗浄面の状態に応じて、ノズル部側を前記本体部に対して相対的に回転することにより、噴射流の偏平方向をきわめて簡便に最適な方向に調整し得ることから、従来のように洗浄装置を持ち変えたり、身体を曲げたり捻ったりする必要は解消され、操作性が改善されて作業性が大幅に向上する。また、操作性が改善されることから、高圧噴射による場合などに作業者に及す危険性も大幅に低減される。
【図面の簡単な説明】
【図１】本発明の実施例に係る手持ち操作用洗浄装置の全体を示した斜視図である。
【図２】同実施例を部分的に断面して示した正面図である。
【図３】同実施例の噴射口部分を拡大して示した右側面図である。
【図４】同実施例における回転連結部の近傍を拡大して示した図２の部分拡大図である。
【図５】図４のＡ−Ａ断面図である。
【図６】図４に指示した回転連結部の断面を更に拡大して示したＢ−Ｂ断面図である。
【図７】図６のＣ−Ｃ断面図である。
【符号の説明】
１…手持ち操作用洗浄装置、２…本体部、３…ノズル部、４…フレキシブルホース、５…接続管、６…握り部、７…レバー、８…加圧液体供給管、９…直線状軸部、１０…接続部、１１…気体供給管、１２…気体供給路、１３…回転連結部、１４…噴射口、１５…握り部、１６…本体側連結部材、１７…小径部、１８…ノズル側連結部材、１９…係合ボルト、２０…先端係合部、２１…リング状係合凹部、２２，２３…固定ボルト、２４…中央開孔部、２５…Ｏリング、２６，２７…ボルト挿通孔、２８…気体供給路、２９…上流側部材、３０…中間部材、３１…下流側部材、３２…テーパ面部、３３…平行面部、３４…内壁面、３５…小径部、３６…平行面部、３７…テーパ面部、３８…テーパ状内壁面、３９…気体噴射口、４０…開孔部、４１…加圧液体供給路、４２…液体噴射口、４３…混合部、４４…突出部、４５…凹部、４６…流通路
【図１】
2004321949.tif 000003
【図２】
2004321949.tif 000004
【図３】
2004321949.tif 000005
【図４】
2004321949.tif 000006
【図５】
2004321949.tif 000007
【図６】
2004321949.tif 000008
【図７】
2004321949.tif 000009